【手続補正書】
【提出日】平成17年3月2日(2005.3.2)
【手続補正１】
【補正対象書類名】明細書
【補正対象項目名】発明の名称
【補正方法】変更
【補正の内容】
【発明の名称】電子回路、半導体装置、電子機器および時計
【手続補正２】
【補正対象書類名】明細書
【補正対象項目名】特許請求の範囲
【補正方法】変更
【補正の内容】
【特許請求の範囲】
【請求項１】
所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記定電圧と所定の相関をもつ参照電圧及び前記定電圧を生成する第２の電圧生成回路とを含み、
前記第２の電圧生成回路は、
前記基準電圧と前記参照電圧とを差動増幅する差動増幅器と、
定電流を供給する第２の定電流源と、
前記定電流が供給される第２の電圧制御用トランジスタを用いた回路と、
前記第２の電圧制御用トランジスタを用いた回路と直列接続され前記定電流が供給されるとともに、
前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記定電流は、前記第２の電圧制御用トランジスタの飽和動作領域の値に設定され、
かつ前記第２の電圧制御用トランジスタの動作保証温度範囲において、前記第２の電圧制御用トランジスタの両端電位である前記参照電圧と前記定電圧間の電位差変動量が、
動作保証温度範囲における前記水晶発振回路の発振停止電圧の変動量とほぼ同じとなるように、その電流値が設定されていることを特徴とする電子回路。
【請求項２】
所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記定電圧と所定の相関をもつ参照電圧及び前記定電圧を生成する第２の電圧生成回路とを含み、
前記第２の電圧生成回路は、
前記基準電圧と前記参照電圧とを差動増幅する差動増幅器と、
定電流を供給する第２の定電流源と、
前記定電流が供給される第２の電圧制御用トランジスタを用いた回路と、
前記第２の電圧制御用トランジスタを用いた回路と直列接続され前記定電流が供給されるとともに、
前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記定電流は、前記第２の電圧制御用トランジスタの飽和動作領域の値に設定され、
かつ前記第２の電圧制御用トランジスタの動作保証温度範囲において、前記第２の電圧制御用トランジスタの一端電位である前記参照電圧の変動量と、
前記第２の電圧制御用トランジスタの両端電位である前記参照電圧と前記定電圧間の電位差変動量の合計が、
動作保証温度範囲における前記水晶発振回路の発振停止電圧の変動量とほぼ同じとなるように、その電流値が設定されていることを特徴とする電子回路。
【請求項３】
所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記基準電圧と所定の相関をもつ前記定電圧を生成する第２の電圧生成回路とを含み、
前記第１の電圧生成回路は、
第１の定電流を供給する第１の定電流源と、
前記第１の定電流が通電され、所定の電位を基準とした前記基準電圧を出力する第１の電圧制御用トランジスタを用いた回路とを含み、
前記第２の電圧生成回路は、
前記基準電圧と参照電圧とを差動増幅する差動増幅器と、
第２の定電流を供給する第２の定電流源と、
前記第２の定電流が供給される第２の電圧制御用トランジスタを用いた回路と、
前記第２の電圧制御用トランジスタを用いた回路と直列接続され前記第２の定電流が供給されるとともに、前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記第１の定電流は、
前記第１の電圧制御用トランジスタの飽和動作領域の値に設定され、
前記第２の定電流は、
前記第２の電圧制御用トランジスタの飽和動作領域の値に設定され、
前記第１の電圧制御用トランジスタの動作保証温度範囲における前記基準電圧の変動量と、
前記第２の電圧制御用トランジスタの動作保証温度範囲において、前記第２の電圧制御用トランジスタの両端電位である前記参照電圧と前記定電圧間の電位差変動量の合計が、
動作保証温度範囲における前記水晶発振回路の発振停止電圧の変動量とほぼ同じとなるように、前記第１及び第２の定電流の値が設定されていることを特徴とする電子回路。
【請求項４】
所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記定電圧と所定の相関をもつ参照電圧及び前記定電圧を生成する第２の電圧生成回路とを含み、
前記第２の電圧生成回路は、
前記基準電圧と前記参照電圧とを差動増幅する差動増幅器と、
定電流を供給する第２の定電流源と、
前記定電流が供給される第２の電圧制御用トランジスタを用いた回路と、
前記第２の電圧制御用トランジスタを用いた回路と直列接続され前記定電流が供給されるとともに、
前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記第２の電圧制御用トランジスタは、
電流増幅率が夫々異なる複数のトランジスタの中から、前記第２の電圧制御用トランジスタの動作保証温度範囲において、前記第２の電圧制御用トランジスタの両端電位である前記参照電圧と前記定電圧間の電位差変動量が、
動作保証温度範囲における前記水晶発振回路の発振停止電圧の変動量とほぼ同じとなるトランジスタが、前記第２の電圧制御用トランジスタとして選択使用されることを特徴とする電子回路。
【請求項５】
所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記定電圧と所定の相関をもつ参照電圧及び前記定電圧を生成する第２の電圧生成回路とを含み、
前記第２の電圧生成回路は、
前記基準電圧と前記参照電圧とを差動増幅する差動増幅器と、
定電流を供給する第２の定電流源と、
前記定電流が供給される第２の電圧制御用トランジスタを用いた回路と、
前記第２の電圧制御用トランジスタを用いた回路と直列接続され前記定電流が供給されるとともに、
前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記第２の電圧制御用トランジスタは、
電流増幅率が夫々異なる複数のトランジスタの中から、前記第２の電圧制御用トランジスタの動作保証温度範囲において、前記第２の電圧制御用トランジスタの一端電位である前記参照電圧の変動量と、
前記第２の電圧制御用トランジスタの両端電位である前記電圧と前記定電圧間の電位差変動量の合計が、
動作保証温度範囲における前記水晶発振回路の発振停止電圧の変動量とほぼ同じとなるトランジスタが、前記第２の電圧制御用トランジスタとして選択使用されることを特徴とする電子回路。
【請求項６】
所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記基準電圧と所定の相関をもつ前記定電圧を生成する第２の電圧生成回路とを含み、
前記第１の電圧生成回路は、
定電流を供給する第１の定電流源と、
前記第１の定電流が通電され、所定の電位を基準とした前記基準電圧を出力する第１の電圧制御用トランジスタを用いた回路とを含み、
前記第２の電圧生成回路は、
前記基準電圧と参照電圧とを差動増幅する差動増幅器と、
定電流を供給する第２の定電流源と、
前記第２の定電流が供給される第２の電圧制御用トランジスタを用いた回路と、
前記第２の電圧制御用トランジスタを用いた回路と直列接続され前記第２の定電流が供給されるとともに、前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記第１の電圧制御用トランジスタは、
電流増幅率が夫々異なる第１の複数のトランジスタの中から選択し、
また前記第２の電圧制御用トランジスタは、
電流増幅率が夫々異なる第２の複数のトランジスタの中から選択し、
選択した前記第１の電圧制御用トランジスタの動作保証温度範囲における前記基準電圧の変動量と選択した前記第２の電圧制御用トランジスタの動作保証温度範囲において、前記第２の電圧制御用トランジスタの両端電位である前記参照電圧と前記定電圧間の電位差変動量の合計が、
動作保証温度範囲における前記水晶発振回路の発振停止電圧の変動量とほぼ同じとなることを特徴とする電子回路。
【請求項７】
請求項３において、
前記第１の電圧制御用トランジスタは、
電流増幅率が夫々異なる複数のトランジスタの中から、いずれか１つのトランジスタを前記第１の電圧制御用トランジスタとして選択使用するように形成されることを特徴とする電子回路。
【請求項８】
請求項１〜３、請求項３に従属する請求項７のいずれかにおいて、
前記第２の電圧制御用トランジスタは、
電流増幅率が夫々異なる複数のトランジスタの中から、いずれか１つのトランジスタを前記第２の電圧制御用トランジスタとして選択使用するように形成されることを特徴とする電子回路。
【請求項９】
請求項３、６、請求項３に従属する請求項７、請求項３に従属する請求項８、請求項３に従属する請求項７に従属する請求項８のいずれかにおいて、
前記第１の定電流源及び前記第２の定電流源は、
同一の製造条件で形成されたものであることを特徴とする電子回路。
【請求項１０】
請求項３、６、請求項３に従属する請求項７、請求項３に従属する請求項８、請求項３に従属する請求項７に従属する請求項８、請求項９のいずれかにおいて、
前記基準電位の変動量と、前記参照電圧と前記定電圧間の電位差変動量の各々が、発振停止電圧の変動量の１／２となることを特徴とする電子回路。
【請求項１１】
請求項２、５のいずれかにおいて、
前記参照電圧の変動量と、前記参照電圧と前記定電圧間の電位差変動量の各々が、発振停止電圧の変動量の１／２となることを特徴とする電子回路。
【請求項１２】
請求項１〜１１のいずれかにおいて、
前記定電圧の絶対値は、この定電圧が供給される発振回路の発振停止電圧の絶対値よりも大きいことを特徴とする電子回路。
【請求項１３】
請求項１〜１２のいずれかの電子回路を含むことを特徴とする半導体装置。
【請求項１４】
請求項１〜１２のいずれかの電子回路又は請求項１３の半導体装置を含み、前記発振回路の発振出力から動作基準信号を生成することを特徴とする電子機器。
【請求項１５】
請求項１〜１２のいずれかの電子回路又は請求項１３の半導体装置を含み、前記発振回路の発振出力から時計基準信号を形成することを特徴とする時計。
【手続補正３】
【補正対象書類名】明細書
【補正対象項目名】００１２
【補正方法】変更
【補正の内容】
【００１２】
【課題を解決するための手段】
本発明は、所定の定電圧を生成する定電圧発生回路と、
前記定電圧発生回路から供給される定電圧により発振駆動される水晶発振回路を含む電子回路において、
前記定電圧発生回路は、
基準電圧を生成する第１の電圧生成回路と、
前記定電圧と所定の相関をもつ参照電圧及び前記定電圧を生成する第２の電圧生成回路とを含み、
前記第２の電圧生成回路は、
前記基準電圧と前記参照電圧とを差動増幅する差動増幅器と、
定電流を供給する第２の定電流源と、
前記定電流が供給される第２の電圧制御用トランジスタを用いた回路と、
前記第２の電圧制御用トランジスタを用いた回路と直列接続され前記定電流が供給されるとともに、
前記差動増幅器の出力により抵抗値が制御される出力用トランジスタとを含み、
所定の電位を基準として、前記第２の電圧制御用トランジスタを用いた回路の一端側から前記参照電圧を出力し、他端側から前記定電圧を出力するように形成され、
前記定電流は、前記第２の電圧制御用トランジスタの飽和動作領域の値に設定され、
かつ前記第２の電圧制御用トランジスタの動作保証温度範囲において、前記第２の電圧制御用トランジスタの両端電位である前記参照電圧と前記定電圧間の電位差変動量が、
動作保証温度範囲における前記水晶発振回路の発振停止電圧の変動量とほぼ同じとなるように、その電流値が設定されていることを特徴とする。